(57)【要約】【課題】  本発明は、外部からの熱による変形を吸収して各部品の取付位置に影響を与えることのない光源ユニットと、この光源ユニットを備えた走査光学装置及び画像形成装置とを提供することを目的とする。【解決手段】本発明の光源ユニット５００は、図７に示すように、その光源保持部５６２ａにおいて、光走査部８４に近い側から貫通孔（発光素子設置部）５６５ｙ，５６５ｍ，５６５ｃ，５６５ｋが並んで設けられる。この貫通孔５６５ｙ，５６５ｍ，５６５ｃ，５６５ｋはそれぞれ、熱源となる光走査部８４に最も近い貫通孔５６５ｙを最も低い位置とし、光走査部８４から最も離れた貫通孔５６５ｋを最も高い位置として、その高さが、５６５ｙ，５６５ｍ，５６５ｃ，５６５ｋの順となるように設けられる。【選択図】図７
2014139627.tif 000002
【特許請求の範囲】
【請求項１】
ビーム光を照射する複数の発光素子と、前記複数の発光素子それぞれから照射される複数の光ビームを外部の光走査部に照射するように誘導する光学部材と、前記光源ユニットを保持する光源保持部と、前記光学部材を保持する光学系保持部と、を備えるとともに、光ビームを偏向走査する前記光走査部を有する走査光学装置に前記光学系保持部が固定されて取り付けられる光源ユニットであって、
前記光源保持部は、前記光学系保持部の側部より立設されて、前記発光素子から照射される光ビームの光軸に対して垂直となる面を備え、
前記光源保持部に保持される前記複数の発光素子が、前記光学系保持部の面と平行な方向に並んで固定されるとともに、前記光走査部から離れる方向に沿って、その高さ位置が高くなるように配置されることを特徴とする光源ユニット。
【請求項２】
前記光源保持部が、前記発光素子が設置される発光素子設置部と、前記発光素子設置部に設置された前記発光素子を固定する発光素子固定部とを備え、
前記複数の発光素子が並ぶ方向を左右方向としたとき、前記発光素子固定部が、前記発光素子設置部の左右両側に配置されることを特徴とする請求項１に記載の光源ユニット。
【請求項３】
前記光源保持部が、固定された前記発光素子の間となる位置の少なくとも一つに、前記光学系保持部との接続部と逆側の端部から下側への切り込みとなる切欠部を備えることを特徴とする請求項１又は２に記載の光源ユニット。
【請求項４】
前記光学部材として、前記複数の発光素子それぞれの照射面に対向する位置に入光面が配置される複数のコリメーターレンズを備えることを特徴とする請求項１〜３のいずれか一項に記載の光源ユニット。
【請求項５】
前記光源保持部及び前記光学系保持部それぞれが樹脂材料で一体成型されることを特徴とする請求項１〜４のいずれか一項に記載の光源ユニット。
【請求項６】
前記走査光学装置への固定位置の一部が、前記光源保持部と前記光学系保持部の接続部分の両側近傍にあることを特徴とする請求項１〜５のいずれか一項に記載の光源ユニット。
【請求項７】
複数の光ビームを照射する光源部と、該光源部から照射される複数の光ビームそれぞれを偏向走査する光走査部とを備える走査光学装置であって、
請求項１〜６のいずれか一項に記載の光源ユニットが前記光源部に設置されることを特徴とする走査光学装置。
【請求項８】
請求項７に記載の走査光学装置と、該走査光学装置から複数の光ビームそれぞれが照射されて静電潜像を表面に形成する複数の感光体ドラムと、を備えることを特徴とする画像形成装置。
【発明の詳細な説明】
【技術分野】
【０００１】
本発明は、感光体に静電潜像を形成すべく露光走査するべくレーザー光を出射する光源ユニット及び走査光学装置と該走査光学装置を備えた画像形成装置に関するもので、特に、複数の光ビームを照射する光源ユニット及び走査光学装置と該走査光学装置を備えた画像形成装置に関する。
【背景技術】
【０００２】
電子写真方式の画像形成装置は、記録紙に転写させるトナー画像を感光体ドラムに担持させるべく、当該感光体ドラムの表面にレーザー光による光ビームを照射する走査光学装置を備える。そして、この走査光学装置が光ビームを感光体ドラムの表面に照射して露光走査することで、感光体ドラム表面において静電潜像を形成され、この静電潜像がトナーで顕像化されてトナー画像が形成される。このような電子写真方式による画像形成装置であって、カラー画像を記録紙に印字出力する画像形成装置の中には、各色のトナー画像を担持する複数の感光体ドラムに対して光ビームを照射できる走査光学装置を有するものが提供されている。
【０００３】
上記画像形成装置における走査光学装置として、各色に応じた単光源ユニットの微調整により各光ビームの光軸を容易に調整できる光走査ユニットが開示されている（特許文献１参照）。この特許文献１の光走査ユニットでは、各色の単光源ユニットを、光源を搭載した基板を金属部材のブラケットに取り付けて構成し、金属製の取付基材の同一平面上にブラケットを当接させて取り付けるものとしている。これにより、取付基材の取り付けられた単光源ユニットを面方向に位置調整することで、単光源ユニットそれぞれから出射される光ビームの光軸を高精度に調整できる。
【先行技術文献】
【特許文献】
【０００４】
【特許文献１】特許第４２３１０１１号公報
【発明の概要】
【発明が解決しようとする課題】
【０００５】
電子写真方式の画像形成装置においては、光ビームのフォーカス及びレジストレーションの調整に、光源であるレーザーダイオードとコリメーターレンズの位置関係が大きく作用する。従って、レーザーダイオードとコリメーターレンズが取り付けられる光源ユニットにおいて、レーザーダイオードとコリメーターレンズの位置関係を高精度に調整するとともに、調整された位置関係を初期状態から維持できる構成が要求される。そのため、光源ユニットを構成する材料として、特許文献１の光走査ユニットのように、剛性の高いアルミニウムなどの金属材料が用いられていた。
【０００６】
しかしながら、金属材料の場合、ダイキャストで成型して構成されることが多いため、高い精度が求められる光源ユニットでは、その加工が困難である。そのため、金属材料による光源ユニットは、特許文献１の光走査ユニットのように、取付部材に取り付けられる単光源ユニットの位置調整を行うための二次的な加工が必要であり、高価なものとなっていた。一方、二次的な加工を省いた場合、光源ユニットの組立作業において、光ビームの光軸調整のための単光源ユニットの取付作業が煩雑なものとなっていた。
【０００７】
又、光源ユニットは、金属材料に比べて加工が容易である樹脂材料を用いて構成することもできる。しかしながら、樹脂材料は、光源ユニットの剛性が弱いだけでなく、熱による影響も大きいことから、光ビームを走査させる偏向器（ポリゴンミラー）を回転させたときに発生する熱により、樹脂材料で構成された光源ユニットが変形する。そのため、取付時に調整されたレーザーダイオードとコリメーターレンズの位置関係がずれることとなり、結果、光ビームのフォーカス及びレジストレーションにずれが発生し、画質劣化につながる。
【０００８】
本発明は、外部からの熱による変形を吸収して各部品の取付位置に影響を与えることのない光源ユニットと、この光源ユニットを備えた走査光学装置及び画像形成装置とを提供することを目的とする。
【課題を解決するための手段】
【０００９】
本発明の光源ユニットは、ビーム光を照射する複数の発光素子と、前記複数の発光素子それぞれから照射される複数の光ビームを外部の光走査部に照射するように誘導する光学部材と、前記光源ユニットを保持する光源保持部と、前記光学部材を保持する光学系保持部と、を備えるとともに、光ビームを偏向走査する前記光走査部を有する走査光学装置に前記光学系保持部が固定されて取り付けられる光源ユニットであって、前記光源保持部は、前記光学系保持部の側部より立設されて、前記発光素子から照射される光ビームの光軸に対して垂直となる面を備え、前記光源保持部に保持される前記複数の発光素子が、前記光学系保持部の面と平行な方向に並んで固定されるとともに、前記光走査部から離れる方向に沿って、その高さ位置が高くなるように配置されることを特徴とする。
【００１０】
このような光源ユニットにおいて、前記光源保持部が、前記発光素子が設置される発光素子設置部と、前記発光素子設置部に設置された前記発光素子を固定する発光素子固定部とを備え、前記複数の発光素子が並ぶ方向を左右方向としたとき、前記発光素子固定部が、前記発光素子設置部の左右両側に配置されるものとしても構わない。又、前記発光素子固定部が、前記発光素子設置部の上下に配置されるものとしても構わない。
【００１１】
上記の光源ユニットそれぞれにおいて、前記光源保持部が、固定された前記発光素子の間となる位置の少なくとも一つに、前記光学系保持部との接続部と逆側の端部から下側への切り込みとなる切欠部を備えるものとしても構わない。
【００１２】
これらの光源ユニットにおいて、前記光学部材として、前記複数の発光素子それぞれの照射面に対向する位置に入光面が配置される複数のコリメーターレンズを備える。
【００１３】
又、上記のいずれかの光源ユニットにおいて、前記光源保持部及び前記光学系保持部それぞれが樹脂材料で一体成型されるものとしてもよい。
【００１４】
更に、上記のいずれかの光源ユニットにおいて、前記走査光学装置への固定位置の一部が、前記光源保持部と前記光学系保持部の接続部分の両側近傍にあるものとしてもよい。
【００１５】
本発明の走査光学装置は、複数の光ビームを照射する光源部と、該光源部から照射される複数の光ビームそれぞれを偏向走査する光走査部とを備える走査光学装置であって、
上記のいずれかの光源ユニットが前記光源部に設置されることを特徴とする。
【００１６】
本発明の画像形成装置は、上記の走査光学装置と、該走査光学装置から複数の光ビームそれぞれが照射されて静電潜像を表面に形成する複数の感光体ドラムと、を備えることを特徴とする。
【発明の効果】
【００１７】
本発明によると、熱源となる光走査部に近くに配置される発光素子が、走査光学装置に固定される光学系保持部に近い位置に設置されることにより、熱源に近い発光素子が固定される位置を、光源保持部の熱変形の影響が小さい位置とできる。従って、発光素子の位置ズレを抑制することができるため、初期状態で高精度に設定された光学性能を維持できる。
【００１８】
又、発光素子固定部を発光素子設置部の左右両側に配置することで、発光素子を可能な限り光学系保持部に近い位置に設置できるため、光源保持部の熱変形による影響を更に低減できる。又、発光素子の設置位置の間に切欠部を設けることによって、各発光素子の設置領域それぞれにおける熱変形が相互に与える影響を小さくできる。更に、走査光学装置への固定位置の一部を、光源保持部と光学系保持部の接続部分の両側近傍に位置させることによって、光源保持部と光学系保持部による保持部材の剛性を高め、光源保持部の熱変形を抑制できる。
【図面の簡単な説明】
【００１９】
【図１】本発明の画像形成装置の内部構成を示す概略図である。
【図２】本発明の走査光学装置の内部構成を示す概略断面図である。
【図３】図２の走査光学装置の内部構成を示す平面図である。
【図４】図２の走査光学装置の光源部及び光走査部の主要部の構成を示す拡大図である。
【図５】図４に示す光源部に設置される光源ユニットの構成を示す平面図である。
【図６】図５の光源ユニットにおける光源保持部の構成を示すの概略断面図である。
【図７】本発明の第１の実施形態における光源ユニットの保持部材の構成を示す正面図である。
【図８】本発明の第１の実施形態における光源ユニットの構成を示す正面図である。
【図９】本発明の第２の実施形態における光源ユニットの保持部材の構成を示す正面図である。
【図１０】本発明の第２の実施形態における光源ユニットの構成を示す正面図である。
【図１１】本発明の第３の実施形態における光源ユニットの構成を示す正面図である。
【図１２】本発明の第３の実施形態における光源ユニットの別の構成を示す正面図である。
【発明を実施するための形態】
【００２０】
＜画像形成装置の全体構成＞
以下の各実施形態で共通となる画像形成装置の全体構成について、図面を参照して説明する。図１は、本発明の画像形成装置の内部構成を示す概略図である。
【００２１】
図１に示すように、画像形成装置１は、原稿から画像を読み取る画像読取装置３と、画像が形成される記録紙を収納する給紙装置４と、トナー画像を作像した後に該トナー画像を給紙装置４から給紙された記録紙に転写する作像ユニット５と、作像ユニット５で記録紙に転写されたトナー画像を定着する定着装置６と、定着装置６で定着されて画像が形成された記録紙が排紙される排紙トレイ７と、作像ユニット５内の感光体ドラム６１にレーザー光を照射する走査光学装置８と、を備える。この画像形成装置１において、その装置本体２上部に画像読取装置３が設けられるとともに、装置本体２内部において、図１に示すように、下側から順に、給紙装置４、走査光学装置８、作像ユニット５、定着装置６のそれぞれが設けられる。
【００２２】
排紙トレイ７は、定着装置６で画像記録されて排紙された記録紙を受けるために、装置本体２の上側に設けられるとともに、給紙装置３が、装置本体２における作像ユニット５の下側で挿抜可能に構成される。このように構成されることで、給紙装置４に収納された記録紙が装置本体２内部に給紙された後、上昇搬送されることによって、給紙装置４の上部に配置された作像ユニット５及び定着装置６で画像が形成された後、画像読取装置３の下側の空間（凹みスペース）に設けられた排紙トレイ７に排紙される。
【００２３】
装置本体２上部に設けられる画像読取装置３は、原稿からの画像を読み取るスキャナー部３１と、スキャナー部３１の上部に設けられるとともにスキャナー部３１に原稿Ｐ１を１枚ずつ搬送させる自動原稿搬送部（ＡＤＦ：Auto Document Feeder）３２とを備える。スキャナー部３１は、上面側にプラテンガラス（不図示）を有する原稿台３３と、原稿Ｐ１に対して光を照射する光源装置３４と、原稿からの反射光を画像データに光電変換するイメージセンサー３５と、反射光をイメージセンサー３５上に結像させる結像レンズ３６と、原稿からの反射光を順次反射させて結像レンズ３６に入射させるミラー群３７とを備えている。又、ＡＤＦ３２は、原稿載置トレイ３８と原稿排出トレイ３９とを備えるとともに、スキャナー部３１の上面側において、原稿台３３に対して開閉可能に設けられている。
【００２４】
この画像読み取り装置３では、原稿台３３のプラテンガラス（不図示）上の原稿を読み取る場合、副走査方向に移動する光源装置３４から光が原稿に対して照射され、その反射光が、ミラー群３７及び結像レンズ３６を介して、イメージセンサー３５上に結像される。これにより、イメージセンサー３５が、原稿からの反射光に基づく電気信号を生成し、画像データとして出力する。一方、原稿載置トレイ３８に載置された原稿を読み取る場合、原稿台３３内部の所定位置に固定された光源装置３４及びミラー群３７が固定されると共に、複数のローラー等で構成される原稿搬送機構４０によって原稿が読取位置に搬送される。従って、光源装置３４からの光が、原稿搬送機構４０により搬送された原稿に対して照射されることで、その反射光がイメージセンサー３５上に結像されて、画像データが出力される。
【００２５】
作像ユニット５は、Ｙ（Yellow）、Ｍ（Magenta）、Ｃ（Cyan）、Ｋ（Key tone)各色のトナー画像を担持する感光体ドラム６１と、水平方向に並んだ各色の感光体ドラム６１と当接することで作像部６１から各色のトナー画像が転写される中間転写ベルト５３と、感光体ドラム６１と中間転写ベルト５３を挟持するように各色の感光体ドラム６１それぞれに対して上側に対向する位置に設けられた一次転写ローラー５４と、中間転写ベルト５３を回動させる駆動ローラー５５と、駆動ローラー５５の回転が中間転写ベルト５３を通じて伝達することで回転する従動ローラー５６と、中間転写ベルト５３を挟んで駆動ローラー５５と対向する位置に設置される二次転写ローラー５７と、中間転写ベルト５３を挟んで従動ローラー５６と対向する位置に設置されるクリーナー５８とを、備える。
【００２６】
又、感光体ドラム６１の外周側には、感光体ドラム６１の外周面をコロナ放電により帯電させる帯電装置６２と、攪拌して帯電させたトナーを感光体ドラム６１の外周面に付着させる現像装置６３と、トナー画像を中間転写ベルト５３に転写した後に感光体ドラム６１の外周面に残留するトナーを除去するクリーナー６４と、を備える。このとき、感光体ドラム６１は、中間転写ベルト５３を挟んで、一次転写ローラー５４と対向する位置に設置されるとともに、図１における時計回りの方向に回転する。そして、感光体ドラム６１の周囲には、一次転写ローラー５４、クリーナー６４、帯電装置６２、及び現像装置６３が、感光体ドラム６１の回転方向に沿って、順番に配置されている。
【００２７】
又、中間転写ベルト５３は、例えば導電性を有する無端状のベルト部材から構成され、駆動ローラー５５及び従動ローラー５６に緩みの無い状態で巻き掛けられることで、駆動ローラー５５の回転に従って、図１において反時計回りの方向に回動する。そして、中間転写ベルト５３の周囲には、中間転写ベルト５３の回転方向に沿って、二次転写ローラー５７、クリーナー５８、ＹＭＣＫ各色の感光体ドラム６１それぞれが順番に配置されている。
【００２８】
この作像ユニット５におけるＹＭＣＫ各色の感光体ドラム６１表面に静電潜像を形成するための露光装置として、走査光学装置８が作像ユニット５の下側に設置される。走査光学装置８は、ＹＭＣＫ各色の光ビームとなるレーザー光ＬＹ，ＬＭ，ＬＣ，ＬＫを、ＹＭＣＫ各色の感光体ドラム６１表面に照射する。この感光体ドラム６１表面に照射されるレーザー光ＬＹ，ＬＭ，ＬＣ，ＬＫはそれぞれ、ＹＭＣＫ各色各色の帯電装置６２と現像装置６３との間を通過し、感光体ドラム６１に到達する。走査光学装置８の詳細な構成については、後述する。
【００２９】
定着装置６は、記録紙上のトナー画像を定着させるべく加熱するハロゲンランプなどを備えた加熱ローラー５９と、記録紙を加熱ローラー５９と共に挟持して記録紙を加圧する加圧ローラー６０とを備える。尚、加熱ローラー５９は、電磁誘導によりその表面に渦電流を生じさせることによって、加熱ローラー５９表面が加熱されるものであってもよい。又、中間転写ベルト５３の上側には、ＹＭＣＫ各色について、現像装置６３に補給するトナーを収容したトナー補給装置８が配置されている。トナー補給装置８は、ＹＭＣＫ各色に対応して配置されるとともに、不図示のトナー搬送部材を介してＹＭＣＫ各色の現像装置６３と接続され、このトナー搬送部材を通じて現像装置６３へトナーを補給する。
【００３０】
給紙装置４に収納された記録紙を１枚ずつ取り出す給紙機構として、給紙装置４に収納された記録紙を最上層から繰り出す繰り出しローラー４１と、繰り出された記録紙を１枚ずつに分離する分離ローラー対４２と、を備える。又、給紙装置４内の記録紙は、繰り出しローラー４１及び分離ローラー対４２の回転駆動によって、最上層のものから１枚ずつ、主搬送路Ｒ０に向けて送り出される。主搬送路Ｒ０のうち、定着装置６よりも下流側には、印刷済の記録紙を排出する排紙ローラー対７１が配置されている。印刷済の記録紙は、排紙ローラー対７１の回転駆動によって排紙トレイ７に排出される。
【００３１】
又、このように各部が構成される画像形成装置１の装置本体２内には、更に、片面印刷後の記録紙を表裏反転させて両面印刷するための循環搬送部Ｒ１が設けられている。そして、排紙ローラー対７１が正逆回転可能に構成されることで、排紙ローラー対７１の正逆回転により、記録紙を装置本体２外の排紙トレイ７に排出したり、スイッチバック（逆送）して装置本体２内の循環搬送路Ｒ１に戻したりできる。
【００３２】
画像形成装置１による印刷動作を簡単に説明する。画像形成装置１は、開始信号や画像信号等を受信して印刷動作を開始する。印刷動作が開始すると、給紙装置４から繰り出された記録紙が、主搬送路Ｒ０に沿って作像ユニット５に搬送される。この作像ユニット５では、帯電装置６２によって帯電させた感光体ドラム６１の表面に走査光学装置８からレーザー光ＬＹ，ＬＭ，ＬＣ，ＬＫが照射され、ＹＭＣＫ各色の画像に対応した静電潜像が感光体ドラム６１の表面に形成される。
【００３３】
この静電潜像が形成された感光体ドラム６１の表面に、現像装置６３で帯電したトナーが移り、感光体ドラム６１にトナー画像が形成される。そして、感光体ドラム６１の表面に担持されたトナー画像が、中間転写ベルト５３と接触する際、一次転写ローラー５４の静電気力によって、中間転写ベルト５３に転写されるため、中間転写ベルト５３の表面に、ＹＭＣＫ各色が重なったトナー画像が形成される。一方、トナー画像を中間転写ベルト５３に転写した感光体ドラム６１に残った未転写トナーは、クリーナー６４にて掻き取られ、感光体ドラム６１上から取り除かれる。
【００３４】
中間転写ベルト５３に転写されたトナー画像は、駆動ローラー５５及び従動ローラー５６によって中間転写ベルト５３が回転することで、二次転写ローラー５７と当接する転写位置まで移動し、主搬送路Ｒ０上の転写位置まで搬送される記録紙に転写される。トナー画像を記録紙に転写した中間転写ベルト５３に残った未転写トナーは、クリーナー５８にて掻き取られ、中間転写ベルト５３上から取り除かれる。又、二次転写ローラー５７との当接位置でトナー画像が転写された記録紙は、定着装置６に搬送される。
【００３５】
片面に未定着トナー像を載せた記録紙は、定着装置６の定着位置を通過する際に、加熱ローラー５９による加熱及び加圧ローラー６０による加圧が施されて、未定着トナー像が紙面に定着される。そして、片面印刷の場合、トナー像定着後（片面印刷後）の記録紙は、排紙ローラー対７１により排紙トレイ７に排出される。一方、両面印刷の場合は、片面印刷後の記録紙を両面印刷用の循環搬送路Ｒ１に搬送して裏返しにし、再び主搬送路Ｒ０に戻すことによって、画像転写部５及び定着装置６で記録紙の他面にトナー像を転写及び定着させた後、排紙トレイ７に排出することとなる。
【００３６】
＜走査光学装置の構成＞
図１の画像形成装置における走査光学装置８の構成について、以下に図面を参照して説明する。図２は、走査光学装置８の内部構成を示す概略断面図であり、図３は、走査光学装置８の内部構成を示す平面図である。又、図４は、走査光学装置８の光源部及び光走査部の主要部の構成を示す拡大図であり、図５は、光源部に設置される光源ユニットの構成を示す概略斜視図である。尚、図３の平面図では、その内部構造を明らかにすべく、上蓋を取り除いて図示している。又、以下の説明において必要に応じて特定の方向や位置を示す用語（例えば、「左右」「上下」「前後」）を用いる場合は、図２における紙面正面を前として、その前後方向を正面視とし、これを基準にしている。即ち、主走査方向が、図２を基準とする「前後方向」に相当する。
【００３７】
図３及び図４に示すように、走査光学装置８は、略矩形状の底板８１における前後左右の周端に側壁８２ｆ，８２ｂ，８２ｌ，８２ｒが立設されるとともに上蓋８３で覆われた筐体８０内に、後述の各光学部材が設置されることによって構成される。この走査光学装置８は、筐体８０の左側側壁８２ｌ側に、スキャナーユニット４００が設置される光走査部８４と、後述の光源ユニット５００が設置される光源部８５とを、備える。光源部８５が、前側側壁８２ｆ側に設けられるとともに、光源部８５の後側に隣接するように、光走査部８４が設けられる。
【００３８】
そして、光走査部８４の右側の対向する位置に、ｆθレンズで構成される長尺状の走査レンズ２０１が設置されるとともに、この走査レンズ２０１の右側に、同じくｆθレンズで構成される長尺状の走査レンズ２０２が設置される。走査レンズ２０２の設置位置より更に右側には、右側に向かって順番に、長尺状の反射鏡２０３ｙ，２０３ｍ，２０３ｃ，２０３ｋが固設される。反射鏡２０３ｙ，２０３ｍ，２０３ｃ，２０３ｋは、上下方向の高さ位置を異なる位置とすることで、光走査部８４で走査されて走査レンズ２０１，２０２を透過したレーザー光ＬＹ，ＬＭ，ＬＣ，ＬＫそれぞれを受ける。
【００３９】
反射鏡２０３ｙ，２０３ｍ，２０３ｃ，２０３ｋそれぞれの上側には、反射鏡２０３ｙ，２０３ｍ，２０３ｃ，２０３ｋそれぞれを反射したレーザー光ＬＹ，ＬＭ，ＬＣ，ＬＫを透過する走査レンズ２０５ｙ，２０５ｍ，２０５ｃ，２０５ｋが固設される。即ち、長尺状の走査レンズ２０５ｙ，２０５ｍ，２０５ｃ，２０５ｋはそれぞれ、反射鏡２０３ｙ，２０３ｍ，２０３ｃ，２０３ｋそれぞれを反射するレーザー光ＬＹ，ＬＭ，ＬＣ，ＬＫの光路上に設置される。走査レンズ２０５ｙ，２０５ｍ，２０５ｃそれぞれよりも左上側には、長尺状の反射鏡２０４ｙ，２０４ｍ，２０４ｃが、走査レンズ２０５ｙ，２０５ｍ，２０５ｃそれぞれを透過したレーザー光ＬＹ，ＬＭ，ＬＣを受ける位置に設置される。反射鏡２０３ｙ，２０３ｍ，２０３ｃ，２０３ｋ，２０４ｙ，２０４ｍ，２０４ｃそれぞれは、その鏡面を所定の角度で傾斜して設置される。
【００４０】
更に、筐体８０の上側を覆う上蓋８３には、反射鏡２０４ｙ，２０４ｍ，２０４ｃそれぞれを反射するレーザー光ＬＹ，ＬＭ，ＬＣそれぞれを装置外部に出射させるための開口に嵌合させた防塵用のウィンドウガラス２３１ｙ，２３１ｍ，２３１ｃと、走査レンズ２０５ｋを透過するレーザー光ＬＫを装置外部に出射させるための開口に嵌合させた防塵用のウィンドウガラス２３１ｋとが、具備される。このウィンドウガラス２３１ｙ，２３１ｍ，２３１ｃ，２３１ｋはそれぞれ長尺状で構成されるとともに、反射鏡２０４ｙ，２０４ｍ，２０４ｃ及び走査レンズ２０５ｋの上に配置される。
【００４１】
光走査部８４は、図３及び図４に示すように、走査レンズ２０１に対向する位置にスリット４０４が設けられて、レーザー光ＬＹ，ＬＭ，ＬＣ，ＬＫを走査レンズ２０１に出射する。又、光走査部８４に設置されるスキャナーユニット４００は、基板４０１上に構成されたモーター４０２と、モーター４０２の回転軸により軸支されるポリゴンミラー４０３とを備える。このように光走査部８４が構成されることで、光源部８５から照射されるレーザー光ＬＹ，ＬＭ，ＬＣ，ＬＫが、モーター４０２により回転するポリゴンミラー４０３に照射される。そして、このポリゴンミラー４０３を反射して走査されるレーザー光ＬＹ，ＬＭ，ＬＣ，ＬＫが、スリット４０４を通って、走査レンズ２０１に照射される。又、上蓋８３における光走査部８４の上側を覆う領域には、モーター４０２及びポリゴンミラー４０３の回転による熱を放熱する放熱フィン４０４が設置される。
【００４２】
光源部８５は、図４及び図５に示すように、レーザーダイオード５０１ｙ，５０１ｍ，５０１ｃ，５０１ｋ、コリメーターレンズ５０２ｙ，５０２ｍ，５０２ｃ，５０２ｋ、反射ミラー５０３ｙ，５０３ｍ，５０３ｃ，５０３ｋ，５０４、及びシリンドリカルレンズ５０５が保持部材５０６上に固定された光源ユニット５００を備える。光源ユニット５００における保持部材５０６は、底板８１にネジ５０７により螺着される板状の光学系保持部５６１と、光学系保持部５６１の側部から光学系保持部５６１に対して垂直に立設させた板状の光源保持部５６２とから構成される。
【００４３】
光源保持部５６２は、左後から右前にむかって傾斜させて立設されるとともに、光走査部８４から離れる方向に沿って、レーザーダイオード５０１ｙ，５０１ｍ，５０１ｃ，５０１ｋが固定される。光学系保持部５６１は、レーザーダイオード５０１ｙ，５０１ｍ，５０１ｃ，５０１ｋそれぞれに対向する位置にコリメーターレンズ５０２ｙ，５０２ｍ，５０２ｃ，５０２ｋそれぞれが固定される。この光学系保持部５６１において、コリメーターレンズ５０２ｙ，５０２ｍ，５０２ｃ，５０２ｋそれぞれの光源保持部５６２の逆側となる位置に、反射ミラー５０３ｙ，５０３ｍ，５０３ｃ，５０３ｋが立設される。そして、光学系保持部５６１において、反射ミラー５０３ｙ，５０３ｍ，５０３ｃ，５０３ｋが並ぶ延長線上に反射ミラー５０４が立設されるとともに、反射ミラー５０３ｙ，５０３ｍ，５０３ｃ，５０３ｋの固定位置よりも光学系保持部５６１より離れた位置にシリンドリカルレンズ５０５が立設される。
【００４４】
反射ミラー５０３ｙ，５０３ｍ，５０３ｃ，５０３ｋはそれぞれ、コリメーターレンズ５０２ｙ，５０２ｍ，５０２ｃ，５０２ｋの光軸に対して同一角度で傾斜するように、光学系保持部５６１より立設している。又、コリメーターレンズ５０２ｙ，５０２ｍ，５０２ｃ，５０２ｋがそれぞれ、左後から右前にむかって配置されるとともに、反射ミラー５０３ｙ，５０３ｍ，５０３ｃ，５０３ｋ，５０４がそれぞれ、左後から右前にむかって配置される。そして、シリンドリカルレンズ５０５が、反射ミラー５０４とポリゴンミラー４０３とを結ぶ直線上において、反射ミラー５０４に対して左後側に配置される。
【００４５】
又、光学系保持部５６１は、光源保持部５６２との接続部近傍であって光源保持部５６２の両側となる位置に、ネジ５０７が挿入される２つの貫通孔５６３を備えるとともに、光源保持部５６２に対して離れた位置に、ネジ５０８が挿入される別の貫通孔５６４を備える。これにより、ネジ５０７，５０８が光学保持部５６１を貫通して筐体８０の底板８１に螺挿されて、光学系保持部５６１が底板８１に固定され、保持部材５０６が筐体８０に固設される。
【００４６】
このとき、螺着されたネジ５０７が、光源保持部５６２の光学系保持部５６１への取付部分（根本）の両側を固定することで、光学系保持部５６１の変形による光源保持部５６２への影響を抑制できる。即ち、光源保持部５６２両側のネジ５０７による固定点を結ぶ直線が、光源保持部５６２が立設される光学系保持部５６１の側部と重なる位置に近づくよう、光源保持部５６２両側に２つの貫通孔５６３が設けられる。
【００４７】
更に、保持部材５０６は、樹脂材料で構成されるものであって、例えば、光学系保持部５６１及び光源保持部５６２が一体化するように成型されて構成されるものであっても構わない。このように樹脂材料で構成される保持部材５０６であっても、上述のようにネジ５０７による固定点の一部を、光源保持部５６２と光学系保持部５６１の接続部分の両側に配置することで、保持部材５０６の剛性を高めることができ、熱変形による影響を低減できる。これにより、保持部材５０６にリブを設ける必要がなくなるだけでなく、筐体により構成する必要がない。従って、保持部材５０６の成型に使用する樹脂材料の使用量を低減できるだけでなく、上記の各光学部品の取付を容易に行うことができ、各光学部品の取付精度を高精度に維持できる。
【００４８】
図５及び図６に示すように、保持部材５０６の光源保持部５６２に固定されるレーザーダイオード５０１ｙ，５０１ｍ，５０１ｃ，５０１ｋは、素子ホルダ５１１に挿入されて発光素子ユニット５１２ｙ，５１２ｍ，５１２ｃ，５１２ｋを構成している。この発光素子ユニット５１２ｙ，５１２ｍ，５１２ｃ，５１２ｋは、レーザーダイオード５０１ｙ，５０１ｍ，５０１ｃ，５０１ｋの発光側がコリメーターレンズ５０２ｙ，５０２ｍ，５０２ｃ，５０２ｋの入光側に対向するように設置される。即ち、レーザーダイオード５０１ｙ，５０１ｍ，５０１ｃ，５０１ｋの発光面が、そのレーザー光を通過させるべく、光源保持部５６２の貫通孔（発光素子設置部）５６５に対向する位置に設置される。そして、光源保持部５６２と素子ホルダ５１１とが螺着されることで、発光素子ユニット５１２が光源保持部５６２に固定される。これにより、レーザーダイオード５０１ｙ，５０１ｍ，５０１ｃ，５０１ｋそれぞれとコリメーターレンズ５０２ｙ，５０２ｍ，５０２ｃ，５０２ｋそれぞれとが、所定の距離で設置される。同時に、レーザーダイオード５０１ｙ，５０１ｍ，５０１ｃ，５０１ｋそれぞれの光軸とコリメーターレンズ５０２ｙ，５０２ｍ，５０２ｃ，５０２ｋそれぞれの光軸とが一致する。
【００４９】
このように構成される光源部８５において、光源保持部５６２に固定されたマルチビーム型のレーザーダイオード５０１ｙ，５０１ｍ，５０１ｃ，５０１ｋそれぞれが、２本のレーザビームを発振して、レーザー光ＬＹ，ＬＭ，ＬＣ，ＬＫそれぞれを出射する。レーザーダイオード５０１ｙ，５０１ｍ，５０１ｃ，５０１ｋそれぞれから出射されたレーザー光ＬＹ，ＬＭ，ＬＣ，ＬＫは、コリメーターレンズ５０２ｙ，５０２ｍ，５０２ｃ，５０２ｋそれぞれを透過して平行光とされ、反射ミラー５０３ｙ，５０３ｍ，５０３ｃ，５０３ｋそれぞれに入射される。反射ミラー５０３ｙ，５０３ｍ，５０３ｃ，５０３ｋは、その鏡面を、コリメーターレンズ５０２ｙ，５０２ｍ，５０２ｃ，５０２ｋの光軸に対して例えば４５度に傾斜していることで、コリメーターレンズ５０２ｙ，５０２ｍ，５０２ｃ，５０２ｋからのレーザー光ＬＹ，ＬＭ，ＬＣ，ＬＫそれぞれを直角に反射する。
【００５０】
反射ミラー５０３ｙ，５０３ｍ，５０３ｃ，５０３ｋそれぞれを反射したレーザー光ＬＹ，ＬＭ，ＬＣ，ＬＫはそれぞれ、反射ミラー５０４で更に反射されて、ポリゴンミラー４０３に向かって照射される。このとき、反射ミラー５０４で反射されたレーザー光ＬＹ，ＬＭ，ＬＣ，ＬＫはそれぞれ、シリンドリカルレンズ５０５を透過することによって、ポリゴンミラー４０３の各鏡面において略同一の位置に対して集光される。
【００５１】
この光源部８５から照射されるレーザー光ＬＹ，ＬＭ，ＬＣ，ＬＫが、光走査部８４のポリゴンミラー４０３の回転により偏向走査される。このとき、ポリゴンミラー４０３より反射するレーザー光ＬＹ，ＬＭ，ＬＣ，ＬＫの光束は、筐体８０の底板８１から上蓋８３に向かって、ＬＹ，ＬＭ，ＬＣ，ＬＫの順に位置する。このレーザー光ＬＹ，ＬＭ，ＬＣ，ＬＫがそれぞれ、走査レンズ２０１，２０２を順番に透過すると、反射鏡２０３ｙ，２０３ｍ，２０３ｃ，２０３ｋによって反射される。
【００５２】
反射鏡２０３ｙ，２０３ｍ，２０３ｃを反射したレーザー光ＬＹ，ＬＭ，ＬＣはそれぞれ、反射鏡２０３ｙ，２０３ｍ，２０３ｃで左側上方に折り返すことで、ｆθレンズで構成される走査レンズ２０５ｙ，２０５ｍ，２０５ｃを透過した後、反射鏡２０４ｙ，２０４ｍ，２０４ｃで反射し、上蓋２３のウィンドウガラス２３１ｙ，２３１ｍ，２３１ｃから外部に出射される。又、反射鏡２０３ｋを反射したレーザー光ＬＫは、反射鏡２０３ｋで上方に折り返すことで、ｆθレンズで構成される走査レンズ２０５ｋを透過し、上蓋２３のウィンドウガラス２３１ｋから外部に出射される。これにより、レーザー光ＬＹ，ＬＭ，ＬＣ，ＬＫが、ＹＭＣＫ各色感光体ドラム６１に照射される光ビームとして、走査光学装置８から出射される。
【００５３】
このように構成される走査光学装置８における光源ユニット５００の更に詳細な構成について、以下の各実施形態で説明する。
【００５４】
＜第１の実施形態＞
本発明の第１の実施形態の光源ユニットについて、以下に、図面を参照して説明する。図７は、本実施形態の光源ユニットにおける保持部材の構成を示す正面図であり、図８は、本実施形態の光源ユニットの構成を示す正面図である。尚、図７及び図８の構成において、図５及び図６の構成と同一の部分については、同一の符号を付して、その詳細な説明は省略する。
【００５５】
本実施形態の光源ユニット５００は、図７に示すように、保持部材５０６ａの光源保持部５６２ａにおいて、光走査部８４（図４参照）に近い側から貫通孔（発光素子設置部）５６５ｙ，５６５ｍ，５６５ｃ，５６５ｋが並んで設けられる。この貫通孔５６５ｙ，５６５ｍ，５６５ｃ，５６５ｋはそれぞれ、熱源となる光走査部８４に最も近い貫通孔５６５ｙを最も低い位置とし、光走査部８４から最も離れた貫通孔５６５ｋを最も高い位置として、その高さが、５６５ｙ，５６５ｍ，５６５ｃ，５６５ｋの順となるように設けられる。又、貫通孔５６５ｙ，５６５ｍ，５６５ｃ，５６５ｋそれぞれの上下には、ネジ５６７（図８参照）が螺入されるネジ穴（発光素子固定部）５６６が設けられる。
【００５６】
図７に示す光源保持部５６２ａは、図８に示すように、素子ホルダ５１１に挿入されたレーザーダイオード５０１ｙ，５０１ｍ，５０１ｃ，５０１ｋによる発光素子ユニット５１２ｙ，５１２ｍ，５１２ｃ，５１２ｋそれぞれが、貫通孔５６５ｙ，５６５ｍ，５６５ｃ，５６５ｋに対向する位置に設置される。このとき、素子ホルダ５１１がネジ５６７により光源保持部５６２により螺着され、発光素子ユニット５１２ｙ，５１２ｍ，５１２ｃ，５１２ｋの設置位置が決定される。これにより、レーザーダイオード５０１ｙ，５０１ｍ，５０１ｃ，５０１ｋの光軸が、コリメーターレンズ５０２ｙ，５０２ｍ，５０２ｃ，５０２ｋ（図５参照）の光軸と一致するよう、それぞれの光軸に対して垂直となる面方向における、レーザーダイオード５０１ｙ，５０１ｍ，５０１ｃ，５０１ｋの位置が決定する。
【００５７】
そして、素子ホルダ５１１が光源保持部５６２ａに当接することで、レーザーダイオード５０１ｙ，５０１ｍ，５０１ｃ，５０１ｋの発光面の位置が特定される。これにより、レーザーダイオード５０１ｙ，５０１ｍ，５０１ｃ，５０１ｋそれぞれとコリメーターレンズ５０２ｙ，５０２ｍ，５０２ｃ，５０２ｋそれぞれとの距離が、コリメーターレンズ５０２ｙ，５０２ｍ，５０２ｃ，５０２ｋの焦点距離に応じた距離となるように、その光軸方向の位置が決定される。
【００５８】
このようにして、レーザーダイオード５０１ｙ，５０１ｍ，５０１ｃ，５０１ｋの位置が光源保持部５６２ａにより調整されると、発光素子ユニット５１２ｙ，５１２ｍ，５１２ｃ，５１２ｋの素子ホルダ５１１を貫通するネジ５６７をネジ穴５６６に螺入する。これにより、発光素子ユニット５１２ｙ，５１２ｍ，５１２ｃ，５１２ｋそれぞれが光源保持部５６２ａに螺着され、レーザーダイオード５０１ｙ，５０１ｍ，５０１ｃ，５０１ｋが光源ユニット５００に固定される。
【００５９】
本実施形態の光源ユニット５００は、上述のように、光源保持部５６２ａによって、レーザーダイオード５０１ｙ，５０１ｍ，５０１ｃ，５０１ｋを、それぞれの高さ位置が熱源となる光走査部８４に近い側から順に高くなるように、固定する。光源保持部５６２ａが、光学系保持部５６１（図６参照）から立設させた構成となるため、光学系保持部５６１との接続部分のみが固定された構成となる。そのため、光源保持部５６２ａは、光走査部８４（図４参照）により発生する熱の影響を受けて変形したとき、その高さ方向に対して傾斜するように変形する。
【００６０】
この光源保持部５６２ａの傾斜は、熱源に近いほど大きくなるが、熱源に近いレーザーダイオード５０１ｙを光学系保持部５６１との接続部分に近い位置に設置することで、熱変形による、レーザーダイオード５０１ｙの位置ズレを抑制できる。又、レーザーダイオード５０１ｙ，５０１ｍ，５０１ｃ，５０１ｋの高さ位置について、熱源に近づくほど低い位置に設定するため、熱変形によるそれぞれの位置ズレを最小限にとどめることができる。従って、光源ユニット５００の熱変形による影響を抑制し、初期状態で高精度に設定された光学性能を維持できる。
【００６１】
＜第２の実施形態＞
本発明の第２の実施形態の光源ユニットについて、以下に、図面を参照して説明する。図９は、本実施形態の光源ユニットにおける保持部材の構成を示す正面図であり、図１０は、本実施形態の光源ユニットの構成を示す正面図である。尚、図９及び図１０の構成において、図７及び図８の構成と同一の部分については、同一の符号を付して、その詳細な説明は省略する。
【００６２】
本実施形態の光源ユニット５００は、図９に示すように、保持部材５０６ｂの光源保持部５６２ｂにおいて、第１の実施形態における光源保持部５６２ａ（図７参照）と同様の貫通孔５６５ｙ，５６５ｍ，５６５ｃ，５６５ｋが設けられる一方で、この貫通孔５６５ｙ，５６５ｍ，５６５ｃ，５６５ｋの左右に、ネジ穴５６６が設けられる。従って、図１０に示すように、発光素子ユニット５１２ｙ，５１２ｍ，５１２ｃ，５１２ｋそれぞれは、レーザーダイオード５０１ｙ，５０１ｍ，５０１ｃ，５０１ｋそれぞれの左右に挿入されるネジ５６７によって、光源保持部５６２ｂに螺着する。
【００６３】
本実施形態の光源ユニット５００は、上述のように、発光素子ユニット５１２ｙ，５１２ｍ，５１２ｃ，５１２ｋそれぞれを固定するネジ５６６が、レーザーダイオード５０１ｙ，５０１ｍ，５０１ｃ，５０１ｋそれぞれの左右に挿入される構成となる。従って、第１の実施形態の構成と比べて、レーザーダイオード５０１ｙ，５０１ｍ，５０１ｃ，５０１ｋそれぞれの設置位置を、光学系保持部５６１側に下降できる。即ち、レーザーダイオード５０１ｙ，５０１ｍ，５０１ｃ，５０１ｋそれぞれの高さ位置が、光学系保持部５６１との接続部分に近づく。これにより、本実施形態の光源ユニット５００は、熱変形によるレーザーダイオード５０１ｙ，５０１ｍ，５０１ｃ，５０１ｋの位置ズレを更に抑制できるため、その光学性能の維持能力が高まる。
【００６４】
＜第３の実施形態＞
本発明の第３の実施形態の光源ユニットについて、以下に、図面を参照して説明する。図１１は、本実施形態の光源ユニットの構成を示す正面図である。尚、図１１の構成において、図１０の構成と同一の部分については、同一の符号を付して、その詳細な説明は省略する。
【００６５】
本実施形態の光源ユニット５００は、図１１に示すように、保持部材５０６ｃの光源保持部５６２ｃにおいて、第２の実施形態における光源保持部５６２ｂ（図９参照）に更に、光学系保持部５６１との接続部分の逆側となる端部５６８から下側に向かう切り込みとなる切欠部５６９を追加した構成となる。図１１の構成では、切欠部５６９が、図１１上で左右に並ぶ発光素子ユニット５１２ｙ，５１２ｍの間となる位置において、レーザーダイオード５０１ｙの高さ位置よりも高い位置までの切り込みとして構成される。
【００６６】
このように構成することによって、最も熱変形の影響を受けるレーザーダイオード５０１ｙの設置領域における変形が、レーザーダイオード５０１ｍ，５０１ｃ，５０１ｋの設置領域に影響を与えることを防止できる。即ち、熱変形時の光源保持部５６２ｃにおいて、レーザーダイオード５０１ｙの設置領域６２１と、レーザーダイオード５０１ｍ，５０１ｃ，５０１ｋの設置領域６２２とで、その傾斜角が異なる。従って、熱源から離れたレーザーダイオード５０１ｍ，５０１ｃ，５０１ｋの設置領域６２２における傾斜が小さくなるため、レーザーダイオード５０１ｙよりも高い位置に設置されたレーザーダイオード５０１ｍ，５０１ｃ，５０１ｋの位置ズレを更に低減できる。
【００６７】
尚、本実施形態において、光源保持部５６２ｃを、光源保持部５６２ａに切欠部５６８を設けた構成例を挙げて説明したが、第１の実施形態における光源保持部５６２ａ（図７参照）に切欠部５６９を設けた構成としても構わない。
【００６８】
又、切欠部５６９について、図１２に示すように、レーザーダイオード５０１ｍ，５０１ｃ，５０１ｋそれぞれの設置領域の間にも設けられるものとしても構わない。このとき、例えば、レーザーダイオード５０１ｍ，５０１ｃの間に設けられる切欠部５６９が、レーザーダイオード５０１ｍの高さ位置よりも高い位置までの切り込みとされるとともに、レーザーダイオード５０１ｃ，５０１ｋの間に設けられる切欠部５６９が、レーザーダイオード５０１ｃの高さ位置よりも高い位置までの切り込みとされるものとしてもよい。更に、図１２に示す３つの切欠部５６９全てを備えるものでなく、いずれか１つの切欠部５６９が設けられるものとしても構わない。
【００６９】
上述の各実施形態において、レーザー光ＬＹ，ＬＭ，ＬＣ，ＬＫの高さ位置について、ＬＹ，ＬＭ，ＬＣ，ＬＫの順に高くなるように、各光学部材が設置されるものとしたが、この高さ位置の組み合わせにより限定されるものではない。即ち、各光学部材の設置位置は、光源保持部５６２におけるレーザーダイオード５０１ｙ，５０１ｍ，５０１ｃ，５０１ｋの位置関係と、ＹＭＣＫ各色の感光体ドラム６１の位置関係とが相対的に一致するように決定されるものであれば、レーザー光ＬＹ，ＬＭ，ＬＣ，ＬＫの高さ位置における別の組み合わせに合わせたものであっても構わない。
【００７０】
尚、上述の各実施形態における光源ユニット５００において、反射ミラー５０３ｍ，５０３ｃ，５０３ｋ（図５参照）は、それぞれの左上に配置された反射ミラー５０３ｙ，５０３ｍ，５０３ｃ（図５参照）を反射するレーザー光が下側を透過するように、その高さ位置が設定されて設置される。これにより、反射ミラー５０３ｙを反射するレーザー光ＬＹが、反射ミラー５０３ｍ，５０３ｃ，５０３ｋの下側を透過し、反射ミラー５０３ｍを反射するレーザー光ＬＭが、反射ミラー５０３ｃ，５０３ｋの下側を透過し、反射ミラー５０３ｃを反射するレーザー光ＬＣが、反射ミラー５０３ｋの下側を透過し、レーザー光ＬＹ，ＬＭ，ＬＣ，ＬＫそれぞれが反射ミラー５０４に入射する。
【００７１】
本願発明における画像形成装置として、上述の各実施形態における、光源ユニットのそれぞれを備えるものであれば、コピー機能、スキャナー機能、プリンター機能、ファックス機能を有するＭＦＰ（Multifunction Peripheral）であっても構わないし、プリンター、コピー機、ファクシミリ等であっても構わない。その他、各部の構成は図示の実施形態に限定されるものではなく、本願発明の趣旨を逸脱しない範囲で種々変更が可能である。
【符号の説明】
【００７２】
１                    画像形成装置
２                    装置本体
３                    画像読取装置
４                    給紙装置
５                    作像ユニット
６                    定着装置
７                    排紙トレイ
８                    走査光学装置
８０                  筐体
８１                  底板
８２ｆ，８２ｂ        側板（前、後）
８２ｌ，８２ｒ        側板（左、右）
８３                  上蓋
８４                  光走査部
８５                  光源部
２０１，２０２        走査レンズ
２０３ｙ，２０３ｍ    反射鏡
２０３ｃ，２０３ｋ    反射鏡
２０４ｙ，２０４ｍ    反射鏡
２０４ｃ              反射鏡
２０５                走査レンズ
２０５ｙ，２０５ｍ    走査レンズ
２０５ｃ，２０５ｋ    走査レンズ
２３１ｙ，２３１ｍ    ウィンドウガラス
２３１ｃ，２３１ｋ    ウィンドウガラス
４００                スキャナーユニット
４０１                基板
４０２                モーター
４０３                ポリゴンミラー
４０４                放熱フィン
５００                光源ユニット
５０１ｙ，５０１ｍ    レーザーダイオード
５０１ｃ，５０１ｋ    レーザーダイオード
５０２ｙ，５０２ｍ    コリメーターレンズ
５０２ｃ，５０２ｋ    コリメーターレンズ
５０３ｙ，５０３ｍ    反射ミラー
５０３ｃ，５０３ｋ    反射ミラー
５０４                反射ミラー
５０５                シリンドリカルレンズ
５０６                保持部材
５０６ａ〜５０６ｃ    保持部材
５１１                素子ホルダ
５１２ｙ，５１２ｍ    発光素子ユニット
５１２ｃ，５１２ｋ    発光素子ユニット
５０７，５０８        ネジ
５６１                光学系保持部
５６２                光源保持部
５６２ａ〜５６２ｃ    光源保持部
５６３，５６４        貫通孔
５６５                貫通孔（発光素子設置部）
５６５ｙ，５６５ｍ    貫通孔（発光素子設置部）
５６５ｃ，５６５ｋ    貫通孔（発光素子設置部）
５６６                ネジ穴（発光素子固定部）
５６７                ネジ
５６８                端部
５６９                切欠部
６２１，６２２        設置領域
【図１】
2014139627.tif 000003
【図２】
2014139627.tif 000004
【図３】
2014139627.tif 000005
【図４】
2014139627.tif 000006
【図５】
2014139627.tif 000007
【図６】
2014139627.tif 000008
【図７】
2014139627.tif 000009
【図８】
2014139627.tif 000010
【図９】
2014139627.tif 000011
【図１０】
2014139627.tif 000012
【図１１】
2014139627.tif 000013
【図１２】
2014139627.tif 000014